(57)【特許請求の範囲】
【請求項１】
略水平に設けられた回転軸に入賞案内部材を起立傾倒自在に支持し、該入賞案内部材が傾倒したときに遊技球が該入賞案内部材上に捕捉され入賞するようにしたパチンコ機の遊技球入賞装置において、制動片を所定の関係位置に相対させることで該入賞案内部材を起立状態にロックするロック機構を設けるとともに、引張操作することにより該ロック機構のロック状態を解除し得る摘子を遊技盤上に突設し、かつ該摘子の引張操作は閉状態にある前面ガラス板の内面に該摘子が衝突することにより阻止されるようにしたことを特徴としたパチンコ機の遊技球入賞装置。
【発明の詳細な説明】
【０００１】
【発明の属する技術分野】
本発明は、パチンコ機の遊技盤面上にて入賞案内部材が開閉動することで遊技球を捕捉する遊技球入賞装置の構造に関するものである。
【０００２】
【従来の技術】
パチンコ機の遊技球入賞装置には従来から種々の形態が知られているが、大入賞口はいわゆる大当たり時にソレノイドを作動させることによって横長板状の蓋（入賞案内部材）を開成させるように構成されたものである。
【０００３】
ところで、従来の上記大入賞口の構造では、入賞案内部材は、例えば針金のようなものをガラス枠内に差し込んで入賞案内部材を無理にこじ開けようとすると開いてしまうので、遊技球を不正に入賞させ賞球を得ようとする不正行為が行われることがあった。
【０００４】
【発明が解決しようとする課題】
本発明者等は、上記のような不正行為が未然に防止されるように、制動片を所定の関係位置に相対させることで該入賞案内部材を起立状態にロックするロック機構を設けた遊技球入賞装置を先に発明し特許出願した。
【０００５】
ところが、このようにロック機構を設けた場合、店員が本来の必要に応じて正当に前面ガラス板を開けて入賞案内部材を開けようとしてもソレノイドが作動しない限り開かないために、店員による正当な行為まで行いにくくするという問題がある。そこで、ピンを挿入し得る小孔を開設し、ガラス枠を開けて所定のピンを該小孔に挿入することで入賞案内部材が開くように構成することが考えられたが、そうすると不正な遊技者がこの小孔に針金を挿入することでも入賞案内部材が開いてしまうおそれがあった。
【０００６】
そこで本発明は、ガラス枠を開けることなく不正な遊技者が針金等を使って入賞案内部材を開けるような不正行為を殆ど不可能にし、なおかつ、入賞案内部材の正当な開放行為までもが行いにくくなることのないようにするものである。
【０００７】
【課題を解決するための手段】
そのために本発明は、略水平に設けられた回転軸に入賞案内部材を起立傾倒自在に支持し、該入賞案内部材が傾倒したときに遊技球が該入賞案内部材上に捕捉され入賞するようにしたパチンコ機の遊技球入賞装置において、制動片を所定の関係位置に相対させることで該入賞案内部材を起立状態にロックするロック機構を設けるとともに、引張操作することにより該ロック機構のロック状態を解除し得る摘子を遊技盤上に突設し、かつ該摘子の引張操作は閉状態にある前面ガラス板の内面に該摘子が衝突することにより阻止されるようにしたことを特徴とする。
【０００８】
【発明の実施の形態】
次に図面に従い本発明の実施の形態を説明する。図１は本発明に係る遊技球入賞装置１が遊技盤２に設けられたパチンコ機の正面図、図２はこの遊技球入賞装置１の外観斜視図、図３はその縦断面図、図４は要部の斜視図である。図中、３は遊技盤２の前面に貼着される取付板、４は該取付板に開設された横長の大入賞口、５は該大入賞口の下縁部に回転軸６，６によって起立傾倒自在に支持された長方形蓋板状の入賞案内部材である。
【０００９】
該入賞案内部材５の背面下縁部両端には鍔部７ａ，７ｂが一体に形成され、その一方の鍔部７ａに横軸状の係合部８を一体的に形成している。
【００１０】
９はスピンドル１０が下側となるように鉛直に設けられたソレノイド、１１は該スピンドル１０の先端に固着され該ソレノイドの作動により上下に進退動するように設けられた制動片、１２は該スピンドル１０を下方に付勢する復帰用のコイルバネである。制動片１１はその前縁に一対の突起部１３，１４が略コ字状に形成されている。１５は下方の突起部１４の一側に一体に突設されたピンである。なお上方の突起部１３は下方の突起部１４よりも少し短く形成されその先端面１３ａを制動片１１の進退動方向と略平行面なるように形成している。１６，１６は取付板３の前面に形成された普通入賞口、１７は遊技盤２の前面に遊技球流下空間１８を形成するべく張設された前面ガラス板である。
【００１１】
２０は取付板３に開設した角形の透孔、２１は該透孔に横断面角形の軸部２２を進退動自在に貫挿することにより遊技盤上に突設した摘子、２３は該軸部２２の内端部に前縁が約４５度の上向き傾斜面状なるように形成された傾斜片で、該傾斜片２３上に前記ピン１５が位置する。なお、２５は軸部２２の後退動距離を制限するために該軸部２２のガイド２４の後端に形成されたストッパ、２６は軸部２２の前進動距離を制限するために該軸部２２に形成されたストッパである。また、２７は遊技球が摘子に当たるのを防ぐための遊技盤上に突設した半円筒状の庇体である。
【００１２】
この遊技球入賞装置では、図３に示したように、ソレノイド９が消磁していてコイルバネ１２の弾性により制動片１１が下方にあるとき、上方の突起部１３の先端面１３ａが係合部８にその背後から相対することにより該係合部８の後方への旋回が阻止されることから、針金等を用いた不正手段により入賞案内部材５を開けようとしても該入賞案内部材は起立状態にてロックされ開けられない。そこで、ソレノイド９が励磁され制動片１１が上動すると下方の突起部１４にて係合部８が持ち上げられることから該入賞案内部材５が前傾し、遊技盤の遊技球流下空間に突出し遊技球を捕捉し得るようになる。また、ソレノイド９が消磁するとコイルバネ１２の弾性により制動片１１が下動することから上方の突起部１３によって係合部８が押し下げられ起立状態に復帰する。
【００１３】
そして、店員が「おまけ」等の正当な行為として入賞案内部材５を開けようとする場合には、所定の鍵を使ってガラス枠を開けて、摘子２１を引張操作すると、傾斜片２３の傾斜面に沿ってピン１５が上動するので制動片１１が持ち上げられてロック状態が解除され、図５に示したように入賞案内部材５を半開きにする。そこでこの半開き状態の入賞案内部材５に指（爪先）を掛けて前方に引くことにより、図６に示したように、該入賞案内部材５を開けることができる。
【００１４】
このように、この実施形態に示した入賞装置では、摘子２１を引張操作することでロック状態を解除する第１の動作と、入賞案内部材５に指を掛けて前方に引く第２の動作との２動作により入賞案内部材を傾倒せられるようにすることで、ガラス枠を開けないで行われる不正操作がより完全に防止されるようにしている。なお、図示しないが、摘子２１を引張操作したときに傾斜片２３が制動片１１をさらに大きく持ち上げるように設定すれば、この摘子２１を操作するだけで入賞案内部材５が開くようにすることもできる。
【００１５】
またこの入賞装置では、前面ガラス板１７が閉じられたままで、針金等を使って摘子２１が引っ張られたとしても該摘子２１が前面ガラス板１７の内面に衝突するので、こうした不正行為をより完全に防止できる。即ち、ロック状態を解除するに必要な摘子２１の引張操作が閉状態にある前面ガラス板１７によって阻止されるので一層完全な不正防止が可能となる。
【００１６】
なお、この実施形態では制動片をソレノイドによって作動させるものについて説明したが、ソレノイドを使用する代わりに、他の入賞口に入賞した遊技球の球重量によって動かされる連桿により制動片が動くように構成してもよい。またこの実施形態では制動片が垂直に進退動する形態のものを説明したが、制動片は水平動、あるいは回転動するものであってもよく、また、制動片が２つ以上の伝動部材から構成されたものであってもよく、かつまた、その伝動部材は進退動、あるいは回転動するものであってよい。また、ロック機構についても制動片によるもののほか、ロック用部材を付加した構造であってもよい。また、摘子の引張操作がこの実施形態ではカム体を介して制動片に作用するようにしたが、その伝達系統は上記複数の伝動部材のいずれであってもよい。
【００１７】
またこの実施形態は、大入賞口について説明したが、遊技盤面上で一対の入賞案内部材を旋回させることにより遊技球を誘導する全ての可変入賞装置（飛行機，あるいはチューリップと称されるようなもの）に適用することも可能である。
また、摘子の形態についても図示したものに限らず異形の装飾体、或いは、球案内部材を兼ねるようにしたり、或いは、上記普通入賞口１６を摘子に見立てて引張操作し得るようにし、その引張操作によりロック機構のロック状態が解除されるようにしてもよい。
【００１８】
また、図７に示した実施形態は、軸部２２の後端部に引張状のバネ３０を設けて該軸部２２が常態では後方に引っ張られるようにすることで、摘子２１が外方に引っ張られたままで放置されることのないようにしたものであるが、このような弾性部材を必要に応じ付加することも可能である。
【００１９】
【発明の効果】
以上説明したように本発明は、制動片を所定の関係位置に相対させることで該入賞案内部材を起立状態にロックするロック機構を設けるとともに、引張操作することにより該ロック機構のロック状態を解除し得る摘子を遊技盤上に突設してなるので、針金等を使用しての不正開放行為をより完全に防止し得るようにする有益な効果がある。
【図面の簡単な説明】
【図１】本発明に係るパチンコ機の実施形態を示した正面図。
【図２】本発明に係る遊技球入賞装置の実施形態を示した外観斜視図。
【図３】図２の遊技球入賞装置の縦断面図。
【図４】図２の遊技球入賞装置の要部の斜視図。
【図５】図３の作動状態図。
【図６】図３の作動状態図。
【図７】本発明の他の実施形態を示した遊技球入賞装置の縦断面図。
【符号の説明】
１            遊技球入賞装置
２            遊技盤
３            取付板
４            大入賞口
５            入賞案内部材
６            回転軸
８            係合部
９            ソレノイド
１１          制動片
１３，１４    突起部
１３ａ        先端面
１５          ピン
１６          普通入賞口
１７          前面ガラス板
２０          透孔
２１          摘子
２３          傾斜片
【図１】
0004533512.tif 000002
【図２】
0004533512.tif 000003
【図３】
0004533512.tif 000004
【図４】
0004533512.tif 000005
【図５】
0004533512.tif 000006
【図６】
0004533512.tif 000007
【図７】
0004533512.tif 000008